(57)【要約】【課題】カメラ使用者がファインダを覗いているときも、ファインダを覗いていないときも、発光素子の発光による警告を認識させることができるファインダを提供するを提供する。【解決手段】対物側に被写体像光の入射口３を有し、接眼側に被写体像光の出射口４を有するハウジング２と、ハウジング２内に設けられ、入射口３から入射した被写体像光を集光させて出射口４から出射するファインダ光学系５と、ファインダ光学系５の側方に配置され、ハウジング２内に向けて警告光を発する発光素子１８と、ハウジング２内にファインダ光学系５の被写体像光路を避けて設けられ、発光素子１８からの警告光をハウジング２の出射口４に向けて反射する警告光反射手段９とを備えた。【選択図】図１
2006098787.tif 000002
【特許請求の範囲】
【請求項１】
対物側に被写体像光の入射口を有し、接眼側に前記被写体像光の出射口を有するハウジングと、前記ハウジング内に設けられ、前記入射口から入射した前記被写体像光を集光させて前記出射口から出射するファインダ光学系と、前記ファインダ光学系の側方に配置され、前記ハウジング内に向けて警告光を発する発光素子と、前記ハウジング内に前記ファインダ光学系の被写体像光路を避けて設けられ、前記発光素子からの警告光を前記ハウジングの出射口に向けて反射する警告光反射手段とを備えたことを特徴とするファインダ。
【請求項２】
発光素子は、ファインダ光学系の一側に配置されており、警告光反射手段は、前記ファインダ光学系の被写体像光路を囲んで枠状に設けられていることを特徴とする請求項１に記載のファインダ。
【請求項３】
警告光反射手段は、発光素子からの警告光をハウジングの出射口に向けて反射する複数のプリズムからなっていることを特徴とする請求項１に記載のファインダ。
【請求項４】
複数のプリズムの警告光反射方向とは反対側に配置された反射板をさらに備えていることを特徴とする請求項３に記載のファインダ。
【請求項５】
発光素子は、ファインダ光学系を構成する複数枚のレンズのうちの１枚のレンズに対応させて配置されており、その発光素子対応レンズの被写体像光入射面に、前記被写体像光の入射領域を避けて複数のプリズムが形成されていることを特徴とする請求項３に記載のファインダ。
【請求項６】
発光素子対応レンズの側面に警告光入射面が形成されており、その警告光入射面に対向させて発光素子が配置されていることを特徴とする請求項５に記載のファインダ。
【請求項７】
発光素子対応レンズの側部に、被写体像光入射面側の面に警告光入射面が形成され、その反対面に前記警告光入射面から入射した警告光をレンズ内に向けて反射させる傾斜反射面が形成された突出部が一体に設けられており、この突出部の前記警告光入射面に対向させて発光素子が配置されていることを特徴とする請求項５に記載のファインダ。
【請求項８】
発光素子対応レンズは、ファインダ光学系の接眼レンズであることを特徴とする請求項５〜７のいずれかに記載のファインダ。
【請求項９】
ファインダ光学系の出射側に、被写体像光の出射領域を避けて、警告光反射手段により反射された警告光の拡散手段が設けられていることを特徴とする請求項１に記載のファインダ。
【請求項１０】
警告光の拡散手段は、ファインダ光学系の接眼レンズの出射面に被写体像光の出射領域を避けて形成された凹凸面からなっていることを特徴とする請求項９に記載のファインダ。
【発明の詳細な説明】
【技術分野】
【０００１】
この発明は、カメラのファインダに関する。
【背景技術】
【０００２】
カメラのファインダは、対物側に被写体像光の入射口を有し、接眼側に前記被写体像光の出射口を有するハウジングと、前記ハウジング内に設けられ、前記入射口から入射した前記被写体像光を集光させて前記出射口から出射するファインダ光学系とからなっている。
【０００３】
前記ファインダには、良好な画質の画像を撮像することができる撮像条件を満たさない状態での不適撮像を防ぐための光による警告機能を備えたものがあり、この種のファインダは、その内部に警告光を発する発光素子を配置した構成となっている（特許文献１参照）。
【特許文献１】特開２００４−５６２５０号公報
【発明の開示】
【発明が解決しようとする課題】
【０００４】
しかし、従来のファインダは、ファインダ内において発光素子が発光するだけであるため、カメラ使用者がファインダを覗いているときは前記発光素子の発光による警告を認識させることができるが、ファインダを覗いていないときは警告を認識させることができなかった。
【０００５】
この発明は、カメラ使用者がファインダを覗いているときも、ファインダを覗いていないときも、発光素子の発光による警告を認識させることができるファインダを提供することを目的としたものである。
【課題を解決するための手段】
【０００６】
この発明のファインダは、対物側に被写体像光の入射口を有し、接眼側に前記被写体像光の出射口を有するハウジングと、前記ハウジング内に設けられ、前記入射口から入射した前記被写体像光を集光させて前記出射口から出射するファインダ光学系と、前記ファインダ光学系の側方に配置され、前記ハウジング内に向けて警告光を発する発光素子と、前記ハウジング内に前記ファインダ光学系の被写体像光路を避けて設けられ、前記発光素子からの警告光を前記ハウジングの出射口に向けて反射する警告光反射手段とを備えたことを特徴とする。
【０００７】
この発明のファインダにおいては、前記発光素子を、前記ファインダ光学系の一側に配置し、前記警告光反射手段を、前記ファインダ光学系の被写体像光路を囲んで枠状に設けるのが望ましい。
【０００８】
また、前記警告光反射手段は、前記発光素子からの警告光を前記ハウジングの出射口に向けて反射する複数のプリズムにより形成するのが望ましい。
【０００９】
その場合は、前記複数のプリズムの警告光反射方向とは反対側に反射板をさらに配置するのが好ましい。
【００１０】
この発明のファインダにおいて、前記発光素子は、前記ファインダ光学系を構成する複数枚のレンズのうちの１枚のレンズに対応させて配置し、その発光素子対応レンズの被写体像光入射面に、前記被写体像光の入射領域を避けて前記複数のプリズムを形成するのが望ましい。
【００１１】
その場合は、前記発光素子対応レンズの側面に警告光入射面を形成し、その警告光入射面に対向させて前記発光素子を配置するのが好ましい。
【００１２】
さらに、前記発光素子を前記ファインダ光学系を構成する複数枚のレンズのうちの１枚のレンズに対応させて配置し、その発光素子対応レンズの被写体像光入射面に前記複数のプリズムを形成する場合は、前記発光素子対応レンズの側部に、被写体像光入射面側の面に警告光入射面が形成され、その反対面に前記警告光入射面から入射した警告光をレンズ内に向けて反射させる傾斜反射面が形成された突出部を一体に設け、この突出部の前記警告光入射面に対向させて前記発光素子を配置するのがより好ましい。
【００１３】
また、前記発光素子対応レンズは、前記ファインダ光学系の接眼レンズが好ましい。
【００１４】
さらに、この発明のファインダにおいては、前記ファインダ光学系の出射側に、前記被写体像光の出射領域を避けて、前記警告光反射手段により反射された警告光の拡散手段を設けるのが望ましい。
【００１５】
その場合は、前記ファインダ光学系の接眼レンズの出射面に、前記被写体像光の出射領域を避けて凹凸面を形成し、その凹凸面により前記警告光を拡散させるのが好ましい。
【発明の効果】
【００１６】
この発明のファインダは、対物側に被写体像光の入射口を有し、接眼側に前記被写体像光の出射口を有するハウジング内に、前記入射口から入射した前記被写体像光を集光させて前記出射口から出射するファインダ光学系を設けるとともに、前記ファインダ光学系の側方に前記ハウジング内に向けて警告光を発する発光素子を配置し、前記ハウジング内に前記ファインダ光学系の被写体像光路を避けて、前記発光素子からの警告光を前記出射口に向けて反射する警告光反射手段を設けたものであるため、前記発光素子が発する警告光を前記ハウジングの出射口から外部に出射することができ、したがって、カメラ使用者がファインダを覗いているときも、ファインダを覗いていないときも、前記発光素子の発光による警告を認識させることができる。
【００１７】
しかも、このファインダは、警告光を発する発光素子をファインダ光学系の側方に配置するとともに、前記発光素子からの警告光をハウジングの出射口に向けて反射する警告光反射手段を前記ファインダ光学系の被写体像光路を避けて設けているため、ファインダの接眼側から観察される被写体像に影や歪みを生じさせることは無い。
【００１８】
この発明のファインダにおいては、前記発光素子を、前記ファインダ光学系の一側に配置し、前記警告光反射手段を、前記ファインダ光学系の被写体像光路を囲んで枠状に設けるのが望ましく、このようにすることにより、カメラ使用者がファインダを覗いているときも、ファインダを覗いていないときも、前記発光素子の発光による警告を確実に認識させることができる。
【００１９】
また、前記警告光反射手段は、前記発光素子からの警告光を前記ハウジングの出射口に向けて反射する複数のプリズムにより形成するのが望ましく、このようにすることにより、前記発光素子が発する警告光を、効率良く前記ハウジングの出射口から外部に出射することができる。
【００２０】
その場合は、前記複数のプリズムの警告光反射方向とは反対側に反射板をさらに配置するのが好ましく、このようにすることにより、前記発光素子が発する警告光を、より効率良く前記ハウジングの出射口から外部に出射することができる。
【００２１】
この発明のファインダにおいて、前記発光素子は、前記ファインダ光学系を構成する複数枚のレンズのうちの１枚のレンズに対応させて配置し、その発光素子対応レンズの被写体像光入射面に、前記被写体像光の入射領域を避けて前記複数のプリズムを形成するのが望ましく、このようにすることにより、前記発光素子が発する警告光を、前記ファインダ光学系のレンズを利用して前記ハウジングの出射口から外部に出射することができる。
【００２２】
その場合は、前記発光素子対応レンズの側面に警告光入射面を形成し、その警告光入射面に対向させて前記発光素子を配置するのが好ましく、このようにすることにより、前記発光素子が発する警告光を前記発光素子対応レンズに効率良く入射させて前記複数のプリズムにより前記ハウジングの出射口に向けて反射し、カメラ使用者がファインダを覗いているときも、ファインダを覗いていないときも、明るい警告光を視認させることができる。
【００２３】
さらに、前記発光素子を前記ファインダ光学系を構成する複数枚のレンズのうちの１枚のレンズに対応させて配置し、その発光素子対応レンズの被写体像光入射面に前記複数のプリズムを形成する場合は、前記発光素子対応レンズの側部に、被写体像光入射面側の面に警告光入射面が形成され、その反対面に前記警告光入射面から入射した警告光をレンズ内に向けて反射させる傾斜反射面が形成された突出部を一体に設け、この突出部の前記警告光入射面に対向させて前記発光素子を配置するのがより好ましく、このようにすることにより、前記発光素子が発する警告光を前記発光素子対応レンズにさらに効率良く入射させて前記複数のプリズムにより前記ハウジングの出射口に向けて反射し、カメラ使用者がファインダを覗いているときも、ファインダを覗いていないときも、より明るい警告光を視認させることができる。
【００２４】
また、前記発光素子対応レンズは、前記ファインダ光学系の接眼レンズが好ましく、このようにすることにより、カメラ使用者がファインダを覗いているときも、ファインダを覗いていないときも、より明るい警告光を視認させることができる。
【００２５】
さらに、この発明のファインダにおいては、前記ファインダ光学系の出射側に、前記被写体像光の出射領域を避けて、前記警告光反射手段により反射された警告光の拡散手段を設けるのが望ましく、このようにすることにより、カメラ使用者がファインダを覗いているときの警告光のぎらつきを無くすとともに、カメラ使用者がファインダを覗いていないときに前記ハウジングの出射口から出射する警告光の出射角を広くし、外部からの警告光視認角を広くすることができる。
【００２６】
その場合は、前記ファインダ光学系の接眼レンズの出射面に、前記被写体像光の出射領域を避けて凹凸面を形成し、その凹凸面により前記警告光を拡散させるのが好ましく、このようにすることにより、前記警告光反射手段により反射された警告光を、前記ファインダ光学系の接眼レンズを利用して拡散させることができる。
【発明を実施するための最良の形態】
【００２７】
（第１の実施形態）
図１〜図５はこの発明の第１の実施例を示しており、図１はファインダの接眼レンズのハッチングを省略した断面図、図２は前記ファインダの接眼側から見た正面図である。
【００２８】
このファインダ１は、対物側に被写体像光の入射口３を有し、接眼側に前記被写体像光の出射口４を有するハウジング２と、前記ハウジング２内に設けられ、前記入射口３から入射した前記被写体像光を図１に矢線で示したように集光させて前記出射口４から出射するファインダ光学系５と、前記ファインダ光学系５の側方に配置され、前記ハウジング２内に向けて着色警告光を発する発光素子１８と、前記ハウジング２内に前記ファインダ光学系５の被写体像光路を避けて設けられ、前記発光素子１８からの警告光を前記ハウジング２の出射口４に向けて反射する警告光反射手段９とを備えている。
【００２９】
前記ハウジング２は、矩形状の断面形状を有する直筒状の角筒からなっており、前記ファインダ光学系５は、前記ハウジング２の入射口３側の端部に配置された対物レンズ６と、この対物レンズ６の出射側に配置された集光レンズ７と、前記ハウジング２の出射口４側の端部に配置された接眼レンズ８とからなっている。
【００３０】
なお、前記ファインダ光学系５の各レンズ６，７，８の外形は、前記ハウジング２の断面形状と相似な矩形状に形成されており、その外周部を前記ハウジング２の内周面に支持されている。
【００３１】
そして、前記発光素子１８は、前記ファインダ光学系５の一側に配置されており、前記警告光反射手段９は、前記ファインダ光学系５の被写体像光路を囲んで枠状に設けられている。
【００３２】
前記発光素子１８は、前記ファインダ光学系５を構成する複数枚のレンズ６，７，８のうちの１枚のレンズに対応させて配置されており、その発光素子対応レンズの被写体像光入射面に、前記被写体像光の入射領域を避けて前記警告光反射手段９が設けられている。
【００３３】
この実施例では、前記ファインダ光学系５を構成する複数枚のレンズ６，７，８のうち、最も出射側の接眼レンズ８を前記発光素子対応レンズとし、この接眼レンズ８の一側に、そのレンズ側面の中間部に対応させて前記発光素子１８を配置するとともに、前記接眼レンズ８の被写体像光入射面に警告光反射手段９を設けている。
【００３４】
図３は前記接眼レンズ８のハッチングを省略した拡大断面図、図４は前記接眼レンズ８の被写体像光入射面の正面図であり、前記警告光反射手段９は、この接眼レンズ８の被写体像光入射面の外周部に被写体像光の入射領域８ａを避けて形成された複数のプリズム１０からなっている。
【００３５】
この接眼レンズ８は、その一側面に前記発光素子１８からの警告光の入射面１１を形成したものであり、前記発光素子１８は、その出射面を前記接眼レンズ８の警告光入射面１１の中央部に対向させて配置されている。
【００３６】
前記発光素子１８は、例えばＬＥＤ（発光ダイオード）であり、この発光素子１８は、その後面（出射面とは反対側の面）を配線フィルム１９に取付けられ、この配線フィルム１９とともにハウジング２の内周面に設けられた発光素子収容部に収容されている。
【００３７】
なお、前記配線フィルム１９は、前記ハウジング２外に引出されており、図示しない警告回路に接続される。
【００３８】
前記接眼レンズ８の被写体像光入射面に形成された複数のプリズム１０は、前記発光素子１８から出射し、接眼レンズ８の警告光入射面１１からこの接眼レンズ８内に入射した警告光を、図１及び図３に破矢線で示したように前記ハウジング２の出射口４に向けて反射するものであり、これらのプリズム１０のプリズム面の傾斜角は、そのプリズム１０の位置、つまり接眼レンズ８の警告光入射面１１から入射した警告光のプリズム面に対する入射角に応じて、各プリズム１０による反射光を前記接眼レンズ８の出射面の外周部から出射させるように設定されている。
【００３９】
なお、この実施例では、図４に示したように、全てのプリズム１０を接眼レンズ８の警告光入射面１１と平行な方向に沿わせて直線状に形成しているが、接眼レンズ８の外周部の各辺領域のうち、前記警告光入射面１１と平行な２つの辺領域のプリズム１０を警告光入射面１１と平行な方向に沿わせて直線状に形成し、他の２つの辺領域（警告光入射面１０に対して直交する辺領域）のプリズム１０を警告光入射面１１と直交する方向に沿わせて直線状に形成してもよく、また、全てのプリズム１０を、前記発光素子１８の配置部付近を中心とする円弧状に形成してもよい。
【００４０】
また、前記プリズム１０は、接眼レンズ８内にその警告光入射面１１から入射した警告光を、プリズム面と外気（空気）との界面により全反射するため、その界面に対して全反射臨界角よりも小さい（垂直に近い）角度で入射した警告光は、前記界面を透過して接眼レンズ８の被写体像光入射側に漏れる。
【００４１】
そのため、この実施例では、接眼レンズ８の被写体像光入射側、つまり前記複数のプリズム１０の警告光反射方向（接眼レンズ８の出射面方向）とは反対側に、前記ファインダ光学系５の被写体像光路を囲む枠状の反射板１７をさらに配置し、前記接眼レンズ８の被写体像光入射側に漏れた警告光を前記反射板１７により前記ハウジング２の出射口４側に反射するようにしている。
【００４２】
また、前記ファインダ光学系５の出射側には、被写体像光の出射領域を避けて、警告光反射手段により反射された警告光の拡散手段１２が設けられている。この警告光拡散手段１２は、前記ファインダ光学系５の接眼レンズ８の出射面の外周部に前記被写体像光の出射領域８ｂを避けて枠状に形成された凹凸面１３からなっている。
【００４３】
なお、前記接眼レンズ８は、被写体像光の入射面が平坦面に形成され、出射面の被写体像光の出射領域８ｂが凸レンズ面に形成されるとともに、この出射面の外周部が被写体像光入射面と略平行な平坦面に形成された片凸レンズであり、前記凹凸面１３は、前記出射面の外周部をサンドブラスト処理またはエッチング処理して形成されている。
【００４４】
図５は前記ファインダ１を備えたデジタルスチルカメラの後面側から見た斜視図であり、前記ファインダ１は、そのハウジング２の対物側端部（入射口３側の端部）をカメラボディ２０の前面２０ａに設けられたファンイダ対物窓に対向させ、対物側端部（入射口３側の端部）をカメラボディ２０の後面２０ｂに設けられたファンイダ接眼窓に対向させて前記カメラボディ２０内に実装される。
【００４５】
なお、図５において、２１は前記カメラボディ２０の後面２０ｂに設けられたモニタディスプレイであり、前記ファインダ１は、前記モニタディスプレイ２１の上側に設けられている。
【００４６】
また、図５では省略しているが、前記カメラボディ２０の後面２０ｂには、モード切替キー等が設けられ、前面２０ａには、撮像レンズ（ズームレンズ）、ストロボライト等が設けられ、上面２０ｃには電源キー、シャッタボタン等が設けられ、下面２０ｄには外部機器接続部等が設けられており、カメラボディ２０内には、前記撮像レンズに対向させて固体撮像素子（ＣＣＤ）が配置されるとともに、前記撮像レンズのピント調整回路、撮像素子駆動回路、撮像画像の処理回路及び画像記憶回路、ストロボ充電回路、モニタ駆動回路、良好な画質の画像を撮像することができる撮像条件を満たさない状態での不適撮像を防ぐための警告回路等が設けられている。
【００４７】
前記警告回路は、例えば被写体に対する撮像レンズの向きによるピント合わせ不能や、ストロボ撮像時のストロボ充電待ち等を警告するものであり、その警告時に前記ファインダ１の発光素子１８を駆動する。
【００４８】
前記ファインダ１は、対物側に被写体像光の入射口３を有し、接眼側に前記被写体像光の出射口４を有するハウジング２内に、前記入射口３から入射した前記被写体像光を集光させて前記出射口４から出射するファインダ光学系５を設けるとともに、前記ファインダ光学系５の側方に前記ハウジング２内に向けて警告光を発する発光素子１８を配置し、前記ハウジング２内に前記ファインダ光学系５の被写体像光路を避けて、前記発光素子１８からの警告光を前記出射口４に向けて反射する警告光反射手段９を設けたものであるため、前記発光素子１８が発する警告光を前記ハウジング２の出射口から外部に出射することができ、したがって、カメラ使用者がファインダ１を覗いているときも、ファインダ１を覗いていないときも、前記発光素子１８の発光による警告を認識させることができる。
【００４９】
そのため、前記ファインダ１を備えたデジタルスチルカメラは、ファインダ１を覗かずに撮像するときでも、ピント合わせ不能やストロボ充電待ち等を、前記ファインダ１からカメラ外部に出射する警告光により知ることができる。
【００５０】
しかも、前記ファインダ１は、警告光を発する発光素子１８をファインダ光学系５の側方に配置するとともに、前記発光素子１８からの警告光をハウジング２の出射口４に向けて反射する警告光反射手段９を前記ファインダ光学系５の被写体像光路を避けて設けているため、ファインダ１の接眼側から観察される被写体像に影や歪みを生じさせることは無い。
【００５１】
また、前記発光素子１８を点灯させる警告時は、前記被写体像がその周囲に見える警告光の影響によりボケて見えるが、前記発光素子１８を点灯させない非警告時は、前記被写体像をはっきり見ることができる。
【００５２】
なお、モニタディスプレイ２１の表示画像を見て撮像するときは、モニタディスプレイ２１にピント度が表示されるが、前記ファインダ１からカメラ外部に出射する警告光によってもピント合わせ不能を知ることができれば便利である。
【００５３】
一方、ストロボ充電待ちは、モニタディスプレイ２１には表示されないため、従来はカメラボディ２０の後面２０ｂに充電インジケータを設けているが、ストロボ充電待ちを前記ファインダ１からカメラ外部に出射する警告光により知ることができれば、前記充電インジケータを省略することができ、また、前記充電インジケータを設ける場合は、前記警告光と充電インジケータのいずれでもストロボ充電待ちを知ることができる。
【００５４】
なお、前記ファインダ１に前記ピント合わせ不能とストロボ充電待ちの２通りの警告機能をもたせる場合、その２通りの警告は、警告時中の発光素子１８の点灯を例えば点滅と連続点灯のいずれかに選択するか、あるいは、前記発光素子１８を２色のＬＥＤにより構成して警告光の色を選択することにより区別することができる。
【００５５】
また、上記実施例のファインダ１は、前記発光素子１８を、前記ファインダ光学系５の一側に配置し、前記警告光反射手段９を前記ファインダ光学系５の被写体像光路を囲んで枠状に設けているため、警告光を、図５に平行斜線を施した枠状領域から出射させることができ、したがって、カメラ使用者がファインダを覗いているときも、ファインダを覗いていないときも、前記発光素子１８の発光による警告を確実に認識させることができる。
【００５６】
また、上記実施例では、前記警告光反射手段９を、前記発光素子１８からの警告光を前記ハウジング２の出射口４に向けて反射する複数のプリズム１０により形成しているため、前記発光素子１８が発する警告光を、効率良く前記ハウジング２の出射口４から外部に出射することができる。
【００５７】
さらに、上記実施例では、前記複数のプリズム１０の警告光反射方向とは反対側に反射板１７を配置しているため、前記発光素子１８が発する警告光を、より効率良く前記ハウジング２の出射口４から外部に出射することができる。
【００５８】
また、上記実施例では、前記発光素子１８を、前記ファインダ光学系５を構成する複数枚のレンズ６，７，８のうちの１枚のレンズに対応させて配置し、その発光素子対応レンズの被写体像光入射面に、前記被写体像光の入射領域を避けて前記複数のプリズム１０を形成しているため、前記発光素子１８が発する警告光を、前記ファインダ光学系５のレンズを利用して前記ハウジング２の出射口４から外部に出射することができる。
【００５９】
しかも、上記実施例では、前記発光素子対応レンズ８を、前記ファインダ光学系５の接眼レンズ８としているため、カメラ使用者がファインダ１を覗いているときも、ファインダ１を覗いていないときも、より明るい警告光を視認させることができる。
【００６０】
また、上記実施例では、前記発光素子対応レンズ（接眼レンズ）８の側面に警告光入射面１１を形成し、その警告光入射面１１に対向させて発光素子１８を配置しているため、前記発光素子１８が発する警告光を前記発光素子対応レンズ８に効率良く入射させて前記複数のプリズム１０により前記ハウジング２の出射口４に向けて反射し、カメラ使用者がファインダ１を覗いているときも、ファインダ１を覗いていないときも、明るい警告光を視認させることができる。
【００６１】
さらに、上記実施例では、前記ファインダ光学系５の出射側に、前記被写体像光の出射領域を避けて、前記警告光反射手段９により反射された警告光の拡散手段１２を設けているため、カメラ使用者がファインダ１を覗いているときの警告光のぎらつきを無くすとともに、カメラ使用者がファインダ１を覗いていないときに前記ハウジング２の出射口４から出射する警告光の出射角を広くし、外部からの警告光視認角を広くすることができる。
【００６２】
また、上記実施例では、前記ファインダ光学系５の接眼レンズ８の出射面に、前記被写体像光の出射領域８ｂを避けて凹凸面１３を形成し、その凹凸面１３により前記警告光を拡散させるようにしているため、前記警告光反射手段９により反射された警告光を、前記ファインダ光学系５の接眼レンズ８を利用して拡散させることができる。
【００６３】
（第２の実施形態）
図６〜図８はこの発明の第２の実施例を示しており、図６はファインダの接眼レンズのハッチングを省略した断面図、図７は前記ファインダの接眼側から見た正面図、図８は前記接眼レンズのハッチングを省略した拡大断面図である。
【００６４】
なお、図６〜図８において、上述した第１の実施例に対応するものについては、図に同符号を付してその説明を省略する。
【００６５】
この実施例のファインダ１は、ファインダ光学系５の接眼レンズ８を発光素子対応レンズとするとともに、この接眼レンズ８の側部に、被写体像光入射面側の面に警告光入射面１５が形成され、その反対面に前記警告光入射面１５から入射した警告光をレンズ８内に向けて反射させる傾斜反射面１６が形成された突出部１４を一体に設け、この突出部１４の前記警告光入射面１５に対向させて発光素子１８が配置したものであり、他の構成は上述した第１の実施例と実質的に同じである。
【００６６】
このファインダ１は、前記接眼レンズ８の側面に前記突出部１４を一体に設け、この突出部１４の前記警告光入射面１５に対向させて発光素子１８を配置することにより、前記発光素子１８から出射して前記突出部１４にその警告光入射面１５から入射した警告光を、前記突出部１４の反対面の傾斜反射面１６により前記レンズ８内に向けて反射させるようにしているため、その警告光のほとんどを、前記接眼レンズ８の被写体像光入射面に被写体像光路を避けて形成された複数のプリズム１０に入射させることができ、したがって、前記発光素子１８が発する警告光を前記接眼レンズ８にさらに効率良く入射させて前記複数のプリズム１０により前記ハウジング２の出射口４に向けて反射し、カメラ使用者がファインダ１を覗いているときも、ファインダ１を覗いていないときも、より明るい警告光を視認させることができる。
【００６７】
なお、上記第１及び第２の実施例では、ファインダ光学系５の接眼レンズ８を発光素子対応レンズとしているが、前記ファインダ光学系５の他のレンズ、つまり対物レンズ６と集光レンズ７のいずれかを発光素子対応レンズとしてもよい。
【００６８】
また、前記発光素子からの警告光を前記ハウジングの出射口に向けて反射する警告光反射手段は、前記ファインダ光学系５を構成するレンズ６，７，８とは別に設けてもよく、さらに、警告光反射手段は、複数のプリズムからなるものに限らず、例えば反射板としてもよい。
【００６９】
また、上記実施例のファインダ１は、直筒状のハウジング２内に直線光路のファインダ光学系５を設けたものであるが、この発明は、屈曲した筒状のハウジング内にミラーまたはプリズムを備えた屈曲光路のファインダ光学系を設けたファインダにも、また前記ファインダ光学系を撮像レンズのズーミングに連動するズーミング光学系としたファインダにも適用することができる。
【００７０】
さらに、この発明は、デジタルスチルカメラに限らず、感光性フィルムを使用するカメラのファインダにも適用することができる。
【図面の簡単な説明】
【００７１】
【図１】発明の第１の実施例を示すファインダの接眼レンズのハッチングを省略した断面図。
【図２】前記ファインダの接眼側から見た正面図。
【図３】前記接眼レンズのハッチングを省略した拡大断面図。
【図４】前記接眼レンズの被写体像光入射面の正面図。
【図５】前記ファインダ１を備えたデジタルスチルカメラの後面側から見た斜視図。
【図６】この発明の第２の実施例を示すファインダの接眼レンズのハッチングを省略した断面図。
【図７】前記ファインダの接眼側から見た正面図。
【図８】前記接眼レンズのハッチングを省略した拡大断面図。
【符号の説明】
【００７２】
１…ファインダ、２…ハウジング、３…入射口、４…出射口、５…ファインダ光学系、６…対物レンズ、７…集光レンズ、８…接眼レンズ、８ａ…被写体像光入射領域、８ｂ…被写体像光出射領域、９…警告光反射手段、１０…プリズム、１１…警告光入射面、１２…警告光拡散手段、１３…凹凸面、１４…突出部、１５…警告光入射面、１６…傾斜反射面、１７…反射板、１８…発光素子、１９…配線フィルム。
【図１】
2006098787.tif 000003
【図２】
2006098787.tif 000004
【図３】
2006098787.tif 000005
【図４】
2006098787.tif 000006
【図５】
2006098787.tif 000007
【図６】
2006098787.tif 000008
【図７】
2006098787.tif 000009
【図８】
2006098787.tif 000010